(57)【要約】      （修正有）【課題】簡単な構造で食品の品質を保持することが出来るインスタント食品用容器を提供する。【解決手段】容器本体Ｂと、該容器本体Ｂの開口部に被蓋される蓋体Ａとを有するインスタント食品用容器において、容器本体Ｂ、蓋体Ａのうちの少なくとも何れかの内容物に面する側に非結晶性ポリエチレンテレフタレートコポリマー（ＰＥＴ−Ｇ）樹脂層６を設ける。【選択図】図２
0003163094.tif 000002
【実用新案登録請求の範囲】
【請求項１】
容器本体と、該容器本体の開口部に被蓋される蓋体とを有するインスタント食品用容器において、
少なくとも前記容器本体の内容物に面する側に非結晶性ポリエチレンテレフタレートコポリマー（ＰＥＴ−Ｇ）樹脂層を設けたことを特徴とするインスタント食品用容器。
【請求項２】
前記容器本体が外容器と内容器との２重構造で構成され、前記内容器の内容物に面する側に非結晶性ポリエチレンテレフタレートコポリマー（ＰＥＴ−Ｇ）樹脂層を設けたことを特徴とする請求項１に記載のインスタント食品用容器。
【請求項３】
少なくとも前記容器本体は、内容物に面する側に設けられた非結晶性ポリエチレンテレフタレートコポリマー（ＰＥＴ−Ｇ）樹脂層と、その外側に設けられたポリスチレン（ＰＳ）樹脂層とを共押出製法により積層構造としたことを特徴とする請求項１または請求項２に記載のインスタント食品用容器。
【考案の詳細な説明】
【技術分野】
【０００１】
本考案は、容器本体と、該容器本体の開口部に被蓋される蓋体とを有するインスタント食品用容器に関するものである。
【背景技術】
【０００２】
従来、食品の品質を保持するために食品容器を多層構造としたものが提案されており、特開２００４−２６２４７９号公報（特許文献１）には、外面層及び内面層に非結晶性ポリエチレンテレフタレートコポリマー（ＰＥＴ−Ｇ）樹脂層を設けたことが記載されている。
【先行技術文献】
【特許文献】
【０００３】
【特許文献１】特開２００４−２６２４７９号公報
【考案の概要】
【考案が解決しようとする課題】
【０００４】
しかしながら、前述の従来例では、ベース層の外両面にバリア層を設け、更にその外両面に非結晶性ポリエチレンテレフタレートコポリマー（ＰＥＴ−Ｇ）樹脂層を設けて構成されるため製造工程が複雑となりコストアップを招いていた。
【０００５】
本考案は前記課題を解決するものであり、その目的とするところは、簡単な構造で食品の品質を保持することが出来るインスタント食品用容器を提供せんとするものである。
【課題を解決するための手段】
【０００６】
前記目的を達成するための本考案に係るインスタント食品用容器の第１の構成は、容器本体と、該容器本体の開口部に被蓋される蓋体とを有するインスタント食品用容器において、少なくとも前記容器本体の内容物に面する側に非結晶性ポリエチレンテレフタレートコポリマー（ＰＥＴ−Ｇ）樹脂層を設けたことを特徴とする。
【０００７】
また、本考案に係るインスタント食品用容器の第２の構成は、前記第１の構成において、前記容器本体が外容器と内容器との２重構造で構成され、前記内容器の内容物に面する側に非結晶性ポリエチレンテレフタレートコポリマー（ＰＥＴ−Ｇ）樹脂層を設けたことを特徴とする。
【０００８】
また、本考案に係るインスタント食品用容器の第３の構成は、前記第１、第２の構成において、少なくとも前記容器本体は、内容物に面する側に設けられた非結晶性ポリエチレンテレフタレートコポリマー（ＰＥＴ−Ｇ）樹脂層と、その外側に設けられたポリスチレン（ＰＳ）樹脂層とを共押出製法により積層構造としたことを特徴とする。
【考案の効果】
【０００９】
本考案に係るインスタント食品用容器の第１の構成によれば、内容物に面する側に非結晶性ポリエチレンテレフタレートコポリマー（ＰＥＴ−Ｇ）樹脂層を設けたことで、食品接触面に樹脂残留物の溶出がなく、プラスチック臭等の移り香がない。また耐油性、耐薬品性に優れる。
【００１０】
また、本考案に係るインスタント食品用容器の第２の構成によれば、容器本体が外容器と内容器との２重構造で構成されたことで、外容器と内容器との間に空気層を介在させることで断熱効果が得られ、１００℃近くの熱湯を容器内に注いで調理される場合であっても容器を持つことが出来る。また、内容器の内容物に面する側に非結晶性ポリエチレンテレフタレートコポリマー（ＰＥＴ−Ｇ）樹脂層を設けたことで、食品接触面に樹脂残留物の溶出がなく、プラスチック臭等の移り香がない。また耐油性、耐薬品性に優れる。
【００１１】
また、本考案に係るインスタント食品用容器の第３の構成によれば、内容物に面する側に設けられた非結晶性ポリエチレンテレフタレートコポリマー（ＰＥＴ−Ｇ）樹脂層と、その外側に設けられたポリスチレン（ＰＳ）樹脂層とを共押出製法により積層構造としたことで、容器の耐熱温度が上がり、容器内に１００℃近い熱湯を注いで調理するインスタント焼きそば等のインスタント食品用容器に好適である。また、内容物に面する側に非結晶性ポリエチレンテレフタレートコポリマー（ＰＥＴ−Ｇ）樹脂層を設けたことで、容器内に１００℃近い熱湯を注いだ際に非結晶性ポリエチレンテレフタレートコポリマー（ＰＥＴ−Ｇ）樹脂層の表面が硬化して平滑度が上がり、インスタント焼きそば等の調理後に湯切りをする際に湯の切れが良く、湯切り後にソースを加えた場合にソースの本来の辛みや風味が良好に保たれる。また、簡単な構造で食品の品質を保持することが出来る。非結晶性ポリエチレンテレフタレートコポリマー（ＰＥＴ−Ｇ）樹脂層と、ポリスチレン（ＰＳ）樹脂層とはソリッドシートからなるため成型性が良く、型再現性が高いので見栄えが良く、コンパクトにすることが出来、資材費、物流費のコストダウンを図ることが出来る。
【図面の簡単な説明】
【００１２】
【図１】本考案に係るインスタント食品用容器の構成を示す斜視図である。
【図２】本考案に係るインスタント食品用容器の構成を示す分解斜視図である。
【図３】容器本体が外容器と内容器との２重構造で構成された様子を示す断面説明図で、内容器の内容物に面する側に非結晶性ポリエチレンテレフタレートコポリマー（ＰＥＴ−Ｇ）樹脂層を設け、蓋体の内容物に面する側にも非結晶性ポリエチレンテレフタレートコポリマー（ＰＥＴ−Ｇ）樹脂層を設けた様子を説明する断面説明図である。
【考案を実施するための形態】
【００１３】
図により本考案に係るインスタント食品用容器の一実施形態を具体的に説明する。図１〜図３において、本実施形態のインスタント食品用容器は、インスタント焼きそば用の容器であって、容器本体Ｂと、該容器本体Ｂの開口部に被蓋される蓋体Ａとを有して構成され、蓋体Ａ及び容器本体Ｂとも、平面形状が長方形の角型容器として構成している。容器本体Ｂ及び蓋体Ａのそれぞれの内容物５に面する側に非結晶性ポリエチレンテレフタレートコポリマー（ＰＥＴ−Ｇ）樹脂層６が設けられている。
【００１４】
本実施形態の容器本体Ｂは、図２及び図３に示すように、外容器Ｂ１と内容器Ｂ２との２重構造で構成され、該内容器Ｂ２の内容物５に面する側に非結晶性ポリエチレンテレフタレートコポリマー（ＰＥＴ−Ｇ）樹脂層６が設けられている。容器本体Ｂは、容器としての機能を発揮するための立ち上がり壁１ａと、該立ち上がり壁１ａの上端部分である、容器本体Ｂの開口部の周縁を構成するフランジ１ｂと、該フランジ１ｂのさらに外周から下向きに形成された垂下片１ｃとを有しており、フランジ１ｂ及び垂下片１ｃにより容器本体Ｂの剛性を高める構造となっている。
【００１５】
容器本体Ｂ及び蓋体Ａは、内容物５に面する側に設けられた非結晶性ポリエチレンテレフタレートコポリマー（ＰＥＴ−Ｇ）樹脂層６と、その外側に設けられたポリスチレン（polystyrene；ＰＳ）樹脂層７とを共押出製法により積層構造としたものである。ここで、共押出製法とは、溶融したそれぞれの樹脂を２つ平行に並んだ細いスリット状の隙間からそれぞれフィルムとして押出して、貼り合わせ（ラミネート）を行い、冷却後、一体的に巻取るものであり、非常に薄い厚みで多層化が可能であり、残留溶剤の心配がない。
【００１６】
インスタント焼きそば等のインスタント食品からなる内容物５を収納する容器は、容器内に１００℃近い熱湯を注入するためと、かつ熱湯で調理したインスタント食品を食するに当っては、容器を手で持つので、本実施形態では容器本体Ｂを２重構造とし、外容器Ｂ１の中に、同一形状の内容器Ｂ２が嵌入され、容器本体Ｂは二重壁で構成されている。乾麺などの食品はこの内容器Ｂ２に収納されている。
【００１７】
蓋体Ａは図１及び図３に示す如く、所定の凹凸が形成された天板２ａと、該天板２ａの周りを取り囲むように下方向に垂下された垂下縁２ｂとより形成されている。蓋体Ａを容器本体Ｂに被蓋した際には、蓋体Ａの天板２ａの周辺部が容器本体Ｂのフランジ１ｂ上に載置され、かつ蓋体Ａの垂下縁２ｂが容器本体Ｂの垂下片１ｃに被覆されて蓋体Ａが容器本体Ｂに嵌合されるように構成されている。
【００１８】
蓋体Ａの天板２ａの一方のコーナー部には、図１〜図３に示す３個の湯出口用タブ３が天板２ａの下方斜めに容器本体Ｂ側に向って突出するように設けられている。湯出口用タブ３は天板２ａの一部を切り欠いて３方が打抜かれて矩形状に形成されており、その根本部に該湯出口用タブ３の開閉方向と直行する方向に設けられた溝部３ａを支点として先端部が下方に斜めに突出するように構成されている。
【００１９】
上記構成によれば、内容物５に面する側に非結晶性ポリエチレンテレフタレートコポリマー（ＰＥＴ−Ｇ）樹脂層６を設けたことで、食品接触面に樹脂残留物の溶出がなく、プラスチック臭等の移り香がない。また耐油性、耐薬品性に優れる。
【００２０】
また、容器本体Ｂが外容器Ｂ１と内容器Ｂ２との２重構造で構成されたことで、外容器Ｂ１と内容器Ｂ２との間に空気層を介在させることで断熱効果が得られ、１００℃近くの熱湯を容器内に注いで調理される場合であっても容器を持つことが出来る。また、内容器Ｂ２の内容物５に面する側に非結晶性ポリエチレンテレフタレートコポリマー（ＰＥＴ−Ｇ）樹脂層６を設けたことで、食品接触面に樹脂残留物の溶出がなく、プラスチック臭等の移り香がない。また耐油性、耐薬品性に優れる。
【００２１】
また、内容物５に面する側に設けられた非結晶性ポリエチレンテレフタレートコポリマー（ＰＥＴ−Ｇ）樹脂層６と、その外側に設けられたポリスチレン（ＰＳ）樹脂層７とを共押出製法により積層構造としたことで、容器の耐熱温度が上がり、容器内に１００℃近い熱湯を注いで調理するインスタント焼きそば等のインスタント食品用容器に好適である。また、内容物に面する側に非結晶性ポリエチレンテレフタレートコポリマー（ＰＥＴ−Ｇ）樹脂層６を設けたことで、容器内に１００℃近い熱湯を注いだ際に非結晶性ポリエチレンテレフタレートコポリマー（ＰＥＴ−Ｇ）樹脂層６の表面が硬化して平滑度が上がり、インスタント焼きそば等の調理後に湯切りをする際に湯の切れが良く、湯切り後にソースを加えた場合にソースの本来の辛みや風味が良好に保たれる。また、簡単な構造で食品の品質を保持することが出来る。非結晶性ポリエチレンテレフタレートコポリマー（ＰＥＴ−Ｇ）樹脂層６と、ポリスチレン（ＰＳ）樹脂層７とはソリッドシートからなるため成型性が良く、型再現性が高いので見栄えが良く、コンパクトにすることが出来、資材費、物流費のコストダウンを図ることが出来る。
【００２２】
ここで、非結晶性ポリエチレンテレフタレートコポリマー（ＰＥＴ−Ｇ）樹脂は、テレフタル酸とグリーコールに１，４シクロヘキサンジメタノール（１，４ＣＨＤ Ｍ）を共重合させることで得られる結晶化度０％のポリエチレンテレフタレート（Polyethylene terephthalate；ＰＥＴ）である。焼却処理時に塩素や塩化水素などの有害ガスを発生しないＰＥＴ−Ｇ樹脂は地球環境にも優しい。また、薄膜でありながら、無延伸のＰＥＴ系フィルムであり、透明・光沢等の光学適性に優れている。加工に際してヒートシール性、超音波シール性も良好である。また、腰強度や安全性に優れ、環境ホルモン物質(環境庁限定６７種)は含まれておらず、厚生省告示２０号に適合している。燃焼カロリーは、紙とほぼ同等で、焼却による有害物質は発生しない。無延伸非結晶フィルムのため極めて優れた真空成型適性がある。また、深絞り性・鋭角成型性・耐成型白化性等に優れている。無味・無臭性に優れており、保香性に優れている。また折り曲げ白化が発生しない。
【００２３】
なお、本実施形態では、容器本体Ｂ及び蓋体Ａのそれぞれの内容物５に面する側に非結晶性ポリエチレンテレフタレートコポリマー（ＰＥＴ−Ｇ）樹脂層６が設けられている場合の一例について説明したが、容器本体Ｂの内容物５に面する側にのみ非結晶性ポリエチレンテレフタレートコポリマー（ＰＥＴ−Ｇ）樹脂層６を設けて構成することでも良い。
【産業上の利用可能性】
【００２４】
本考案の活用例として、容器本体と、該容器本体の開口部に被蓋される蓋体とを有するインスタント食品用容器に適用できる。
【符号の説明】
【００２５】
Ａ    …蓋体
Ｂ    …容器本体
Ｂ１  …外容器
Ｂ２  …内容器
１ａ  …立ち上がり壁
１ｂ  …フランジ
１ｃ  …垂下片
２ａ  …天板
２ｂ  …垂下縁
３    …湯出口用タブ
３ａ  …溝部
５    …内容物
６    …ＰＥＴ−Ｇ樹脂層
７    …ＰＳ樹脂層
【図１】
0003163094.tif 000003
【図２】
0003163094.tif 000004
【図３】
0003163094.tif 000005